(57)【要約】【課題】ユーザが寝具を使用する状況に応じて送風する空気の温度や風量を制御することで、ユーザの快適さを向上させることができる送風装置を実現する。【解決手段】送風装置は、吹出口を介して寝具に空気を送風するファンと、ファンにより送風する空気を加熱するヒータと、ファンおよびヒータの動作を制御する制御部と、を備え、制御部は、寝具にかかる荷重を検出する少なくとも１つの重量センサから取得した重量情報に基づいて、ファンまたはヒータの動作を制御する。【選択図】図１
2020103823.tif 000002
【特許請求の範囲】
【請求項１】
吹出口を介して寝具に空気を送風するファンと、
前記ファンにより送風する空気を加熱するヒータと、
前記ファンおよび前記ヒータの動作を制御する制御部と、
を備え、
前記制御部は、前記寝具にかかる荷重を検出する少なくとも１つの重量センサから取得した重量情報に基づいて、前記ファンまたは前記ヒータの動作を制御する送風装置。
【請求項２】
前記制御部は、前記重量センサが所定値以上の重量の変化を検出した場合に、前記ヒータの通電を抑制する制御を行う請求項１に記載の送風装置。
【請求項３】
前記制御部は、前記重量センサが所定時間内に所定回数以上の重量の変化を検出した場合に、前記ファンの回転数を高めると共に、前記ヒータの通電を抑制する制御を行う請求項１または２に記載の送風装置。
【請求項４】
前記少なくとも１つの重量センサは複数の重量センサであって、前記制御部は、前記複数の重量センサから取得した複数の重量情報に基づいて送風方向を変化させる請求項１乃至３のいずれかに記載の送風装置。
【請求項５】
前記複数の重量センサはそれぞれ所定の位置に設けられ、前記制御部は、前記複数の重量センサのうち、所定の荷重の変化が検出された重量センサの位置に基づいて送風方向を変化させる請求項４に記載の送風装置。
【請求項６】
前記重量センサが１個のシート状部材に設けられている請求項４または５に記載の送風装置。
【請求項７】
前記送風装置は、更に、
前記吹出口と連通する流入口が形成されたマットレスを前記寝具として備える請求項１乃至６のいずれかに記載の送風装置。
【発明の詳細な説明】
【技術分野】
【０００１】
本発明は送風装置に関する。
【背景技術】
【０００２】
例えば、下記特許文献１には、エアマットレスに形成された流入口と連通されて流入口に空気を送り込む送風機において、流入口に送り込む空気の加熱程度を調節できる技術が開示されている。
【先行技術文献】
【特許文献】
【０００３】
【特許文献１】特開２０１８−４７２３４号公報
【発明の概要】
【発明が解決しようとする課題】
【０００４】
しかしながら、上記特許文献１は、流入口に送り込む空気の温度および風量を調節して、ユーザが快適な状態を維持するためにさらに改良する余地がある。
【０００５】
そこで、本発明は、ユーザが寝具を使用する状況に応じて送風する空気の温度や風量を制御することで、ユーザの快適さを向上させることができる送風装置を実現することを目的とする。
【課題を解決するための手段】
【０００６】
本発明の送風装置は、吹出口を介して寝具に空気を送風するファンと、ファンにより送風する空気を加熱するヒータと、ファンおよびヒータの動作を制御する制御部と、を備え、制御部は、寝具にかかる荷重を検出する少なくとも１つの重量センサから取得した重量情報に基づいて、ファンまたはヒータの動作を制御する。
【図面の簡単な説明】
【０００７】
【図１】本発明の実施の形態１にかかる送風装置を説明するための縦断面図である。
【図２】図１の送風装置を説明するための平面図である。
【図３】図１に示した送風装置の制御部を中心とした構成の一例を示す図である。
【図４】運転関連情報の一例を示す図である。
【図５】本実施の形態における送風装置１００が乾燥運転を行う場合のフローの概要の一例を示す図である。
【図６】本実施の形態における送風装置１００が睡眠運転を行う場合のフローの概要の一例を示す図である。
【図７】本発明の送風装置の変形例の一例を説明するための縦断面図である。
【発明を実施するための形態】
【０００８】
以下、本発明の実施形態について、図面を参照しつつ説明する。なお、図面については、同一または同等の要素には同一の符号を付し、重複する説明は省略する。
【０００９】
図１は、本発明の実施の形態１にかかる送風装置を説明するための縦断面図である。図２は、図１の送風装置を説明するための平面図である。
【００１０】
図１、図２に示すように、本発明の実施の形態１における送風装置１００は、例えば、送風装置本体１０１、ホース１０２、重量センサ１０３（１０３ａ〜e）を含む。
【００１１】
送風装置本体１０１は、例えば、筐体部１１０を有する。筐体部１１０には、外部から空気を取り込む吸気口１１５、送風装置本体１０１から空気を排気する排気口１１６等が設けられている。
【００１２】
ホース１０２は、例えば蛇腹状に形成され、伸縮可能に構成されている。また、ホース１０２の先端には、吹出口１０２ａが形成されており、ホース１０２の他方端は送風装置本体１０１の排気口１１６と接続されている。さらに、吹出口１０２ａには、吹出口１０２ａから吹出される風の向きを変更するルーバー１０２ｂが設けられている。
【００１３】
送風装置１００は、送風装置本体１０１からホース１０２の吹出口１０２ａを介して外部に送風する。より具体的には、本発明の送風装置が、例えば寝具用送風装置である場合、送風装置１００は、例えば、図１に示すように、吹出口１０２ａを敷き布団１２０と掛け布団１３０との間に挿入することにより、吹出口１０２ａを介して敷き布団１２０と掛け布団１３０に空気を送風する。
【００１４】
重量センサ１０３（１０３ａ〜e）は、例えば、敷き布団１２０の下方に設置され、重量センサ１０３にかかる荷重を検出する。重量センサ１０３は、例えば圧電素子から構成される。圧電素子は、微小な重量変化も検出することができるため、例えば、敷き布団１２０上の人の心拍、呼吸、寝返り等の体動等も検出することができる。本実施形態にかかる重量センサ１０３（１０３ａ〜e）は、図２に示すように、シート状部材１０４の所定の位置（シート状部材１０４の中心部と四隅近辺の５箇所）に固定されている。なお、重量センサ１０３は、１つでも、複数でもよい。上記のようにシート状部材１０４に重量センサ１０３（１０３ａ〜e）を固定した場合には、このシート状部材１０４を敷き布団１２０の下に広げて敷くだけでよく、寝具への設置作業を簡略化することができる。また、重量センサ１０３の設置位置は、上記に限定されるものではなく、敷き布団１２０の任意の位置に設置してもよい。重量センサ１０３は、送風装置本体１０１に有線または無線で接続されている。
【００１５】
ここで、送風装置本体１０１の内部の構成について、より詳細に説明する。筐体部１１０の内部には、ファン１１１、ヒータ１１２、温度センサ１１３等が設けられている。
【００１６】
ファン１１１は、モータ（不図示）により駆動され、吸気口１１５から送風装置本体１０１の内部に空気を取り込み、その取り込んだ空気を排気口１１６からホース１０２の吹出口１０２ａを介して送風装置本体１０１の外部に送り出す機能を有している。
【００１７】
ヒータ１１２は、吸気口１１５から送風装置本体１０１の内部に取り込まれた空気を、排気口１１６から排出される前に送風装置本体１０１内で加熱する機能を有している。送風装置本体１０１は、ファン１１１およびヒータ１１２の上記機能により、ファン１１１から送られてくる空気をヒータ１１２で温めて、排気口１１６からホース１０２の吹出口１０２ａを介して温風を送り出すことができる。なお、送風装置本体１０１は、ヒータ１１２の加熱機能を停止させた場合、常温の風を排気口１１６から送り出すこともできる。即ち、送風装置本体１０１は、温風を送り出す装置としての機能の他、扇風機と同様に涼風を送り出す装置としての機能も備えている。
【００１８】
温度センサ１１３は、送風装置本体１０１から送り出す空気の温度を検出する。温度センサ１１３は、例えばサーミスタであり、例えば、送風装置本体１０１内のヒータ１１２の下流側に設けられる。かかる構成であれば、ファン１１１から外部に送り出す空気の温度を検出することができる。なお、温度センサ１１３を設ける場所は上記に限定されない。例えば、敷き布団１２０または掛け布団１３０の表面または内部に組み込んでもよいし、重量センサ１０３と組み合わせてセンサユニットを構成して、重量センサ１０３と同じ場所に設けてもよい。
【００１９】
また、送風装置本体１０１には、操作部１１７が設けられている。操作部１１７は、ユーザが各種指示を入力するために操作するボタン、スイッチ等から構成され、例えば運転選択ボタンを含む。運転選択ボタンは、例えば、乾燥運転、睡眠運転等の複数ある運転を選択するためのものである。
【００２０】
図３は、図１に示した送風装置の制御部を中心とした構成の一例を示す図である。図３に示すように、送風装置１００は、制御部３０１、記憶部３０２、ファン１１１、ヒータ１１２、重量センサ１０３、温度センサ１１３、操作部１１７を含む。制御部３０１は、例えばＣＰＵ、ＭＰＵ等であって、記憶部１２２に格納されるプログラムに従って各種の情報処理を実行する。記憶部３０２は、例えばフラッシュメモリやＲＡＭ等であって、制御部３０１よって実行されるプログラムや、各種のデータを保持する。また、記憶部３０２は、制御部３０１のワークメモリとしても動作する。制御部３０１は、ファン１１１、ヒータ１１２、重量センサ１０３、温度センサ１１３、操作部１１７等のそれぞれに有線または無線で接続されており、各部を制御する。なお、上記送風装置１００の構成は一例であって、上記に限定されるものではない。
【００２１】
また、制御部３０１は、重量センサ１０３から出力された重量情報に基づいて、ファン１１１またはヒータ１１２の動作を制御する。
【００２２】
続いて、本実施形態にかかる送風装置１００の動作について説明する。
【００２３】
まず、敷き布団１２０の下方側に重量センサ１０３ａ〜eが設置されたシート状部材１０４を設置する。そして、敷き布団１２０と掛け布団１３０との間に、吹出口１０２ａが差し込まれる。この状態にて、操作部１１７における運転選択ボタンが操作されることにより、選択された運転が開始される。
【００２４】
制御部３０１は、操作部１１７で選択された運転に基づいて、例えば、図４に示す運転関連情報に従って、ファン１１１およびヒータ１１２を制御して送風を開始する。この運転関連情報は、例えば予め設定されたものであり、記憶部３０２に格納されている。本実施形態では、運転情報の例として、乾燥運転、睡眠運転等の運転を含む。また、運転情報には、重量センサ１０３から出力される重量情報に基づいて切り替えられるモードを表すモード情報、ファンを動作させる際の回転数を表すファン回転数情報、ヒータを動作させる際の通電量を表すヒータ通電量情報が関連付けられている。なお、本実施形態では、各運転、各モードにおいて、図４に示すように、ファン１１１の回転数が低、高の２段階で調節され、ヒータ１１２の通電量が０、弱、中、強の４段階で調節されるものとするが、これに限定されるものではない。例えば、ファン１１１の回転数、ヒータ１１２の通電量は、各モードに応じて、更に細かく調節されるように構成してもよい。
【００２５】
なお、上記の各運転モードでは、ファンの回転数、ヒータ通電量を予め設定された設定値で送風装置１００を運転しているが、これに限定されるものではない。例えば、操作部１１７でユーザにより設定された風量、温度に基づいて、制御部１２１がファン１１１およびヒータ１１２を制御し、吹出口１０２ａから送風される空気の温度、風量を調節するようにしてもよい。
【００２６】
以下、より具体的に、送風装置１００の動作について説明する。
【００２７】
制御部３０１は、重量センサ１０３から出力される重量情報に基づいて、ファン１１１、ヒータ１１２を制御し、送風する。ここでは、送風装置１００が、（１）乾燥運転、（２）睡眠運転、を行う場合について、それぞれ説明する。
【００２８】
（１）乾燥運転
図５は、本実施の形態における送風装置１００が乾燥運転を行う場合のフローの概要の一例を示す図である。乾燥運転は、例えば、布団等の寝具を乾燥させるための運転である。そして、乾燥運転は、例えば、寝具を乾燥させ、寝具のダニ等を死滅させる乾燥モードと、寝具を冷却する送風モードとを含む。
【００２９】
図５に示すように、制御部３０１は、ユーザによって操作部１１７が操作され、乾燥運転が選択されることにより、乾燥モードを開始する（Ｓ１０１）。なお、例えば、この乾燥モードにおいては、制御部３０１は、例えば図４を参照して、ファン回転数が高、ヒータ通電量が強でファン１１１およびヒータ１１２を制御する。これにより、高温の空気を敷き布団１２０、掛け布団１３０等の寝具に送風し、当該寝具を乾燥させ、ダニ等を死滅させる。
【００３０】
なお、制御部３０１は、運転時間をカウントするタイマ機能を有しており、送風装置１００の運転を開始すると同時に、運転時間のカウントを開始する。また、制御部３０１は、送風装置１００の運転を開始すると同時に、重量センサ１０３の動作を開始する。
【００３１】
Ｓ１０１の乾燥モードに移行した後、例えば、制御部３０１は、重量センサからの重量情報に基づいて、人やペットが寝具に乗ったことを表す重量の変化があったか否かを判定する（Ｓ１０２）。この重量の変化は、例えば、敷き布団１２０、掛け布団１３０等の寝具の重量を予め取得しておき、この寝具の重量から所定値（例えば５ｋｇ）以上の重量の変化である。そして、制御部３０１は、人やペットが寝具に乗ったことを表す重量の変化があったと判定した場合（Ｓ１０２のＹＥＳ）はＳ１０３の送風モードへ移行する。一方、それ以外の場合（Ｓ１０２のＮＯ）、制御部３０１は、Ｓ１０１に戻り、乾燥モードを維持する。なお、例えば、この送風モードにおいては、制御部３０１は、例えば図４を参照して、ファン回転数が高、ヒータ通電量が０でファン１１１およびヒータ１１２を制御する。
【００３２】
このように、制御部３０１は、人やペットが寝具に乗ったことを表す重量の変化を検出した場合、乾燥モードから送風モードに切り替え、寝具に涼風を吹き付けて冷却する。これにより、乾燥モードにおいて寝具に乗った人やペットに高温の空気を送風することを防止できると共に、乾燥モードで高温になった寝具を急速に冷やすことができる。ひいては、人やペットが低温やけど等を負う危険を抑制することができる。
【００３３】
Ｓ１０３の送風モードに移行した後、例えば、制御部３０１は、重量センサ１０３から出力される重量情報に基づいて、人やペットが寝具から降りたことを表す重量の変化があったか否かを判定する（Ｓ１０４）。この重量の変化は、例えば、上記例における人やペットが寝具に乗った状態の重量から寝具の重量への重量の変化、即ち、所定値（例えば５ｋｇ）以上の重量の減少を表す重量の変化である。そして、制御部３０１は、人やペットが寝具から降りたことを表す重量の変化があったと判定した場合はＳ１０１の乾燥モードへ復帰し（Ｓ１０４のＹＥＳ）、それ以外の場合はＳ１０３の送風モードを維持する（Ｓ１０４のＮＯ）。
【００３４】
このように、制御部３０１は、人やペットが寝具から降りたことを表す重量の変化を検出した場合、送風モードから乾燥モードに切り替え、寝具に高温の空気を吹き付けて乾燥させる。これにより、人やペットが寝具から降りた場合には、速やかに寝具への高温の空気の送風を再開させることにより、寝具の乾燥を効率的に行うことができる。
【００３５】
なお、上記乾燥運転における乾燥モードおよび送風モードは、その運転時間が予め設定されていてもよい。この運転時間は、例えば、記憶部３０２に予め記憶されている。より具体的には、制御部３０１は、例えば、所定時間以上ユーザ等が寝具に乗っている状態でＳ１０３の送風モードが継続された場合、送風モードを開始してからの経過時間（即ち、タイマによってカウントされた時間）が、その運転時間（例えば２時間）に達することにより、運転を自動停止してもよい。あるいは、ユーザによって操作部１１７が操作され、乾燥運転がＯＦＦされることにより、運転を終了してもよい。
【００３６】
なお、乾燥運転は、上記に限定されるものはなく、種々の変形が可能である。上記例では、乾燥運転が開始された場合、そのまま乾燥モードに移行したが、例えば、乾燥モードに移行する前に、寝具に人が乗っているか否かを判定し、この判定結果に基づいて乾燥モードに移行するか否かを決定してもよい。より具体的には、例えば、乾燥モードの移行前に、所定時間（例えば、３０秒）の判定時間を設け、この判定時間において、制御部３０１が、重量センサの重量情報に基づいて、所定時間（例えば２秒）内に所定回数（例えば２回）以上の重量の変化があった場合、寝具に人が乗っていると判定する。上記所定時間（例えば２秒）内に所定回数（例えば２回）以上の重量の変化は、例えば、寝具上に乗った人の心拍、呼吸等に伴う重量の変化を表す。そして、制御部３０１は、寝具に人が乗っていないと判定した場合、乾燥モードに移行する。一方、上記重量変化があった場合には、寝具上に人が乗っていると判定し、乾燥モードに移行しない、または送風モードに移行する。これにより、寝具上に乗った人に、乾燥モードにおける高温の温風を吹き付ける危険性を回避し、安全性を確保することができる。
【００３７】
また、上記Ｓ１０４は、制御部３０１は、寝具上に物以外のものが乗っていることを表す重量の変化が所定期間なかったか否かを判定してもよい。具体的には、例えば、制御部３０１は、上記例の所定値（例えば５ｋｇ）以上の重量の変化を検出した状態が、所定期間（例えば３０分間）継続したか否かを判定し、継続した場合は寝具上に物が乗っているとしてもよい。このように、制御部３０１は、寝具上に物以外のものが乗っていることを表す重量の変化が所定期間なかったと判定した場合は乾燥モードへ復帰し、それ以外の場合は送風モードを維持するように構成してもよい。
【００３８】
（２）睡眠運転
図６は、本実施の形態における送風装置１００が睡眠運転を行う場合のフローの概要の一例を示す図である。睡眠運転は、ユーザが寝具で就寝する前または就寝中に実施される運転である。そして、睡眠運転は、例えば、ユーザが快適に睡眠できる温度（例えば、３３℃）の温風を送風する第１睡眠モードと、ユーザが暑さを感じた場合等に第１睡眠モードよりも温度の低い温風を送風する第２睡眠モードとを含む。
【００３９】
図６に示すように、制御部３０１は、ユーザによって操作部１１７が操作され、睡眠運転が選択されることにより、第１睡眠モードを開始する（Ｓ２０１）。なお、例えば、第１睡眠モードにおいては、制御部３０１は、例えば図４を参照して、ファン回転数が低、ヒータ通電量が中でファン１１１およびヒータ１１２を制御する。これにより、ユーザに快適な中温の空気を敷き布団１２０、掛け布団１３０等の寝具に送風する。
【００４０】
Ｓ２０１の第１睡眠モードに移行した後、例えば、制御部３０１は、重量センサ１０３から出力される重量情報に基づいて、ユーザが就寝中に暑苦しさを感じる等の不快感から寝返りを繰り返していることを表す重量の変化があったか否かを判定する（Ｓ２０２）。この重量の変化は、例えば、所定時間（例えば５分）内に所定回数（例えば２回）以上の重量の変化である。このように、制御部３０１は、上記重量の変化があったと判定した場合はＳ２０３の第２睡眠モードへ移行し（Ｓ２０２のＹＥＳ）、それ以外の場合はＳ２０１の第１睡眠モードを維持する（Ｓ２０２のＮＯ）。なお、例えば、第２睡眠モードにおいては、制御部３０１は、例えば図４を参照して、ファン回転数が高、ヒータ通電量が弱でファン１１１およびヒータ１１２を制御する。
【００４１】
このように、制御部３０１は、ユーザが就寝中に暑苦しさを感じる等の不快感から寝返りを繰り返したことを表す重量の変化を検出した場合、第１睡眠モードから第２睡眠モードに切り替え、温風の温度を下げる。これにより、第１睡眠モードにおけるユーザの暑苦しさに伴う不快感を解消させることができる。
【００４２】
Ｓ２０３の第２睡眠モードへ移行した後、例えば、制御部３０１は、重量センサ１０３から出力される重量情報に基づいて、ユーザが就寝中の不快感から解消されて寝返りを止めたことを表す重量の変化があったか否かを判定する（Ｓ２０４）。この重量の変化は、例えば、所定時間（例えば５分）内に所定回数（例えば２回）以上の重量の変化である。そして、制御部３０１は、所定時間（例えば５分）内に所定回数（例えば２回）以上の重量の変化がなく、不快感が解消され、寝返りがないと判定した場合（Ｓ２０４のＹＥＳ）、Ｓ２０１の第１睡眠モードへ復帰し、上記の重量変化があり、寝返りがあると判定した場合（Ｓ２０４のＮＯ）はＳ２０３の第２睡眠モードを維持する。
【００４３】
このように、制御部３０１は、ユーザが就寝中の不快感から解消されて寝返りを止めたことを表す重量の変化を検出した場合、第２睡眠モードから第１睡眠モードに切り替えてもよい。これにより、第２睡眠モードよりも睡眠に適した暖かい温風をユーザに送風することにより、ユーザの快適性を向上させることができる。
【００４４】
本実施形態の送風装置によれば、就寝中に暑苦しさを感じる等の不快感から寝返りを繰り返しているユーザに対して、高温の空気を送風して不快感を増大させることを防止することができる。
【００４５】
なお、本実施形態の送風装置は、睡眠運転中で、かつ、制御部１１４が、重量センサ１０３から出力される重量情報に基づいて、寝具上に乗っているユーザ等を認識している場合は、例えば操作部１１７から乾燥運転のＯＮ信号を取得しても、当該ＯＮ信号を無効として睡眠運転を維持する構成を追加してもよい。これにより、ユーザが睡眠中に、例えばペットまたは人が誤って乾燥ボタンを押した場合に、上記送風モード（Ｓ１０３）に強制的に移行してヒータ通電量が０になることを回避することができる。
【００４６】
本実施の形態は上記構成に限定されるものではなく、上記構成と実質的に同一の構成、同一の作用効果を奏する構成または同一の目的を達成することができる構成で置き換えてもよい。例えば、下記の変形例のように構成してもよい。
【００４７】
例えば、第１の変形例の送風装置は、上記実施形態において、さらに、ホース１０２の吹出口１０２ａに接続された通気性を有する袋体を備える。そして、本変形例の送風装置を使用する際には、上記袋体を敷き布団１２０と掛け布団１３０との間に挟み込み、袋体に送風する。これにより、特に乾燥モードにおいて、袋体を通った温風で布団を乾燥させることができる。このように、袋体に送風することにより、乾燥モードにおいて高温に暖められた空気が布団に直接吹きかからなくなるので、熱による布団の損傷を抑止することができる。なお、重量センサを上記袋体に設けてもよい。
【００４８】
また、第２の変形例の送風装置１００は、上記第１の変形例における袋体に替えて、図７に示すように、上部にユーザが横になれるマット部を有するマットレス７１０を備え、このマットレス７１０の下部に重量センサ１０３を設けてもよい。このマットレス７１０は、敷き布団１２０としても機能させることができる。マットレス７１０は、流入口７０１を含む。この流入口７０１は、吹出口１０２ａと連通しており、送風装置本体１０１から流入口７０１を介して、マットレス７１０の内部に送風される。そして、このマットレス７１０に送風された風は、マットレス７１０の上部のマット部から外部に送風される。これにより、本変形例の送風装置１００は、マットレス７１０の上部のマット部に横になっているユーザに風を送ることができる。なお、マットレス７１０の上部のマット部を、例えば、多孔質の材料で構成することより、マットレス７１０の内部を通る風をこのマット部から効率よく送風することができる。本変形例の構成は、特に、睡眠モードにおいて、適用することができる。
【００４９】
さらに、第３の変形例の送風装置は、例えば、複数の重量センサ１０３ａ〜eのうち、重量変化を出力した特定の重量センサ１０３ａ〜eの方向に風を向けるように、ルーバー１０２ｂを制御するように構成してもよい。これにより、特に、睡眠モードにおいては、寝具において重量変化を検知した重量センサ１０３ａ〜e付近で睡眠中のユーザに送風することができる。つまり、寝返り等により体を移動させたユーザに対しても的確に送風することができ、ユーザの快適性を向上させることができる。
【００５０】
さらにまた、第３の変形例の送風装置において、例えば、複数の重量センサ１０３ａ〜eのうち、重量変化を出力した特定の重量センサ１０３ａ〜eの方向に風を向けないように、ルーバー１０２ｂを制御するように構成してもよい（即ち、重量変化を出力した特定の重量センサ１０３ａ〜eの逆方向に送風する）。これにより、睡眠モードにおいては、寝具への温風の供給を継続しつつ、暑苦しさ等により寝返りして体を移動させたユーザに対しては送風しないことができ、ユーザの快適性を向上させることができる。また、乾燥モードにおいては、例えば温風の供給を開始して間がない状態において、ユーザが誤って寝具上に乗った場合に、重量変化を出力した特定の重量センサ１０３ａ〜eの逆方向に送風することにより、ユーザが例えば低温やけどを発生させる危険を回避することができる。
【００５１】
さらにまた、第４の変形例の送風装置は、例えば、温度センサ１１３を重量センサ１０３と同じ場所に設置してセンサユニットを構成し、温度センサ１１３が出力した温度情報に基づいて、制御部３０１が、送風装置本体１０１から送風される風の温度を調節するように、ファン１１１、ヒータ１１２、ルーバー１０２ｂ等を制御してもよい。これにより、例えば、寝具における温度を均一にするようにすることもでき、乾燥モードにおける寝具の乾燥、睡眠モードにおける寝具の暖めをより効率よくすることができる。
【００５２】
さらにまた、第５の変形例の送風装置は、例えば、ホース１０２に替えて、一端側に吹出口を有し、他端側が本体１０１の排気口１１６に接続されたノズル（ダクト）を用いてもよい。ノズル（ダクト）の吹出口の形状は、例えば、布団の間にフィットする横長の台形で形成されていてもよい。これにより、布団の間に隙間ができにくく、温かい空気が逃げるのを抑えることができる。ノズル（ダクト）は、本体１０１と角度可変に接続されていてもよい。これにより、吹出口の角度が乾燥させたいものに合せて上下に調整することができる。
【００５３】
また、上記の実施形態や変形例における各要素を、矛盾が生じない範囲で、適宜に組み合わせてもよい。
【符号の説明】
【００５４】
１００  送風装置、１０１  送風装置本体、１０２  ホース、１０２ａ  吹出口、１０２ｂ  ルーバー、１０３（１０３ａ〜e）  重量センサ、１０４  シート状部材、１１０  筐体部、１１１  ファン、１１２  ヒータ、１１３  温度センサ、１１５  吸気口、１１６  排気口、１１７  操作部、１２０  敷き布団、１３０  掛け布団、３０１  制御部、７１０  マットレス、７１１  流入口
【図１】
2020103823.tif 000003
【図２】
2020103823.tif 000004
【図３】
2020103823.tif 000005
【図４】
2020103823.tif 000006
【図５】
2020103823.tif 000007
【図６】
2020103823.tif 000008
【図７】
2020103823.tif 000009